(57)【要約】プッシュボタンが、キャップ（１）と、内部領域（２２）を有するハウジング（２）と、キャップ（１）をハウジング（２）に接続するリセット要素（３，４）と、電気的スイッチ要素（５）とを具備する。キャップ（１）は、ハウジング（２）の内部に配置された電気的スイッチ要素（５）を作動させられるように、電気的スイッチ要素（５）に対して静止位置からスイッチング位置へ移動可能である。リセット要素（３，４）は、作動後にキャップ（１）を静止位置に戻す。リセット要素（３，４）は第１バネ手段（３）と第２バネ手段（４）を有し、第１バネ手段（３）は第２バネ手段（４）から、少なくともプッシュキャップ（１）の操作軸（Ａ）の方向にオフセットして配置される。【選択図】図１ｂ
2011520217.tif 000002
【特許請求の範囲】
【請求項１】
プッシュキャップ（１）と、内部領域（２２）を有するハウジング（２）と、前記プッシュキャップ（１）を前記ハウジング（２）に接続するリセット要素（３，４）と、電気的スイッチ要素（５）とを具備するプッシュボタンであって、
前記プッシュキャップ（１）は、前記ハウジング（２）の前記内部領域に配置された前記電気的スイッチ要素（５）を作動させられるように、前記電気的スイッチ要素（５）に対して静止位置からスイッチング位置へ移動可能であり、
前記リセット要素（３，４）は、操作後に前記プッシュキャップ（１）を静止位置に戻し、
前記リセット要素（３，４）は第１バネ手段（３）と第２バネ手段（４）を有することを特徴とし、前記第１バネ手段（３）は前記第２バネ手段（４）から、少なくとも前記プッシュキャップ（１）の操作軸（Ａ）の方向にオフセットして配置されるプッシュボタン。
【請求項２】
前記バネ手段（３，４）が前記プッシュキャップ（１）の一部又はプッシュキャップ支持体（１０）に接続される請求項１に記載のプッシュボタン。
【請求項３】
前記第１バネ手段（３）が前記第２バネ手段（４）に実質的に平行に配置される請求項１又は２に記載のプッシュボタン。
【請求項４】
前記第１バネ手段（３）と前記第２バネ手段（４）が前記プッシュキャップ（１）の中心軸（Ｍ）から同一の半径方向距離で配置される請求項１〜３のいずれかに記載のプッシュボタン。
【請求項５】
少なくとも３対のバネ手段対が設けられ、各バネ手段対は第１バネ手段（３）と第２バネ手段（４）を有する請求項１〜４のいずれかに記載のプッシュボタン。
【請求項６】
前記第１バネ手段（３）及び／又は前記第２バネ手段（４）が板バネ形状である、請求項１〜５のいずれかに記載のプッシュボタン。
【請求項７】
前記第１バネ手段（３）及び／又は前記第２バネ手段（４）が皿バネ座金（Ｆｅｄｅｒｓｃｈｅｉｂｅｎ）形状又は皿バネ座金切片の形状である、請求項１〜６のいずれかに記載のプッシュボタン。
【請求項８】
前記第１バネ手段（３）の、前記プッシュキャップ（１）の中心軸（Ｍ）からの半径方向距離が前記第２バネ手段（４）より大きい、又は小さい請求項１〜７のいずれかに記載のプッシュボタン。
【請求項９】
前記第１バネ手段（３）が前記プッシュキャップ（１）と前記ハウジング（２）上に一体に形成され、前記第２バネ手段（４）が前記プッシュキャップ（１）と前記ハウジング（２）上に一体に形成される、請求項１〜８のいずれかに記載のプッシュボタン。
【請求項１０】
前記第１バネ手段（３）が前記プッシュキャップ（１）及び前記ハウジングに対して固定された位置に配置される要素上に一体に形成され、前記第２バネ手段（４）が前記プッシュキャップ（１）及び前記ハウジングに対して固定された位置に配置される要素上に一体に形成される、請求項１〜９のいずれかに記載のプッシュボタン。
【請求項１１】
前記バネ手段（３，４）が金属材料からなり、電気回路として使用可能である、請求項１〜１０のいずれかに記載のプッシュボタン。
【請求項１２】
２つのプッシュキャップ（１）が操作方向に対向して配置され、前記電気的スイッチ要素（５）が第１のプッシュキャップに対して移動可能なプレート（６）上に配置され、第２のプッシュキャップが操作されると、前記プレート（６）が前記電気的スイッチ要素（５）とともに前記第１のプッシュキャップに向かって移動して、操作される、請求項１〜１１のいずれかに記載のプッシュボタン。
【請求項１３】
少なくとも２つの電気的スイッチ要素が配置され、１つの操作工程で操作可能である、請求項１〜１２のいずれかに記載のプッシュボタン。
【請求項１４】
前記バネ手段（３，４）がプラスチックからなり、前記ハウジング（２）と前記プッシュキャップ（１）が前記バネ手段（３，４）の上方に実質的に一体に形成される、請求項１〜１３のいずれかに記載のプッシュボタン。
【発明の詳細な説明】
【技術分野】
【０００１】
本発明は、請求項１の特徴部の前の節に記載のプッシュボタンに関する。
【背景技術】
【０００２】
プッシュボタンは電気的構成部品として先行技術により公知である。プッシュボタンは通常、プッシュキャップを有し、利用者はこのプッシュキャップを介して手を使って電気的スイッチ要素に力を加えることができる。この力によって電気的スイッチ要素が操作される。この場合、通常、プッシュキャップはハウジング内を移動可能に設置される。さらに、公知のプッシュボタンは、プッシュキャップが操作された後に静止位置に戻すバネ手段を有する。
【０００３】
例えば、スライドガイドを介してプッシュキャップを誘導し、支持するプッシュボタンが存在する。プッシュキャップの最適な移動、特に平行移動を達成するためには、プッシュキャップをハウジング内で非常に正確に誘導しなければならない。平行移動とは、プッシュキャップをこの操作軸に実質的に直角に位置した状態で操作軸に沿って移動させることを意味する。プラスチックのプッシュボタンの場合は、個々の部品に高度な精密さが要求されるとともに、比較的長い誘導ラインが要求される。誘導ラインが長くなれば、特に、プッシュボタンの物理的高さが大きくなってしまう。
【０００４】
さらにまた、プッシュキャップを傾斜システム又は連結システムを介して支持するプッシュボタンが当業者に公知である。
【０００５】
特許文献１もまた連結システムを開示している。特許文献１は、板バネ形状の接触部と、該板バネで作用する操作要素を備えたプッシュボタンを開示する。この場合、板バネは電気的接触のために用いられる。
【０００６】
先行技術のプッシュボタンの問題点は、スイッチング移動が、プッシュボタンに力を加える軸位置に依存していることである。これではプッシュキャップが平行ではない非制御運動を行ってしまう。この状況は、例えば、公共交通機関で使用されるような大面積プッシュボタンの場合、さらに悪化する。
【先行技術文献】
【特許文献】
【０００７】
【特許文献１】ドイツ特許公開第３４２９９１４号
【発明の概要】
【０００８】
このような先行技術の背景に対して、本発明は先行技術の問題点を克服するプッシュボタンを提供する目的に基づく。さらなる目的は、ほぼ平行な動作を実行するプッシュボタンのプッシュキャップである。さらなる目的は、物理的高さのより小さいプッシュボタンを提供することであり、プッシュボタンを少なくとも短い移動で操作可能にすることを目的とする。さらなる目的は、破壊行為を防止できるプッシュボタンである。
【０００９】
この目的は、特許請求項１の特徴を有するプッシュボタンによって達成される。特許請求項１によると、プッシュボタンは、プッシュキャップと、内部領域を有するハウジングと、プッシュキャップをハウジングに接続するリセット要素と、電気的スイッチ要素とを具備する。プッシュキャップはハウジングの内部領域に配置された電気的スイッチ要素を作動させられるように、電気的スイッチ要素に対して静止位置からスイッチング位置へ移動可能である。リセット要素は操作後にプッシュキャップを静止位置に戻す。リセット要素は第１バネ手段と第２バネ手段を有し、第１バネ手段は第２バネ手段から、少なくともプッシュキャップの操作軸の方向にオフセットして配置される。
【００１０】
２つのバネ手段のオフセット配置により、プッシュキャップ上のどのポイントに力を加えても常にプッシュキャップは同一の平行移動をする利点が生まれる。
【００１１】
バネ手段は好ましくはプッシュキャップの一部又はプッシュキャップ支持体に接続される。プッシュキャップ支持体はプッシュキャップに一体に形成される要素又は分離要素であってもよい。
【００１２】
第１バネ手段は好ましくは第２バネ手段に実質的に平行に配置される。これにより、プッシュキャップの移動の平行性がさらに向上する。
【００１３】
第１バネ手段と第２バネ手段はプッシュキャップの中心軸から同一の半径方向距離で配置されることが好ましい。操作軸又は中心軸の方向に見て、第１バネ手段は第２バネ手段と一致して配置されるのが好ましい。角度でオフセットした配置の試作品も同様に良好な結果であった。
【００１４】
少なくとも３対のバネ手段対が設けられることが好ましく、各バネ手段対は第１バネ手段と第２バネ手段からなる。この場合、プッシュキャップはハウジングの中心に保持される。
【００１５】
第１バネ手段及び／又は第２バネ手段は板バネ形状であることが好ましい。
【００１６】
第１バネ手段及び／又は第２バネ手段は皿バネ座金（Ｆｅｄｅｒｓｃｈｅｉｂｅｎ）形状又は皿バネ座金切片の形状であることが好ましい。
【００１７】
第１バネ手段が、プッシュキャップの中心軸からの半径方向距離が第２バネ手段より大きい、又は小さいことが好ましい。
【００１８】
さらなる有利な実施形態は従属項で特徴付けられる。
図を参照して例として好ましい実施形態をさらに詳細に以下で説明する。
【図面の簡単な説明】
【００１９】
【図１ａ】本発明によるプッシュボタンの第一の実施形態の、線Ｂ−Ｂに沿った面を上から見た概略断面図である。
【図１ｂ】本発明によるプッシュボタンの第一の実施形態の、静止状態で横から見た概略断面図である。
【図１ｃ】本発明によるプッシュボタンの第一の実施形態の、スイッチが入っている状態で横から見た概略断面図である。
【図２ａ】本発明によるプッシュボタンの第二の実施形態の、線Ｂ−Ｂに沿った面を上から見た概略断面図である。
【図２ｂ】本発明によるプッシュボタンの第二の実施形態の、静止状態で横から見た概略断面図である。
【図２ｃ】本発明によるプッシュボタンの第二の実施形態の、スイッチが入っている状態で横から見た概略断面図である。
【図２ｄ】バネ配置が異なるさらなる実施形態による、線Ｂ−Ｂに沿った面を上から見た概略断面図である。
【図２ｅ】バネ配置が異なるさらなる実施形態による、静止状態で横から見た概略断面図である。
【図３ａ】本発明によるプッシュボタンの第三の実施形態の、線Ｂ−Ｂに沿った面を上から見た概略断面図である。
【図３ｂ】本発明によるプッシュボタンの第三の実施形態の、静止状態で横から見た概略断面図である。
【図３ｃ】本発明によるプッシュボタンの第三の実施形態のスイッチが入っている状態で横から見た概略断面図である。
【図４】第四の実施形態の断面図である。
【図５】第五の実施形態の断面図である。
【図６ａ】第六の実施形態の断面図である。
【図６ｂ】第六の実施形態の断面図である。
【図７ａ】第七の実施形態の平面図である。
【図７ｂ】第七の実施形態の斜視図である。
【発明を実施するための形態】
【００２０】
実施可能な実施形態を、図を参照して以下に詳細に説明する。図面と説明は好ましい実施形態を示し、説明するものであり、特許請求の範囲に記載の本発明を限定するために解釈されるべきではない。
【００２１】
図１ａ〜１ｃは、本発明によるプッシュボタンの概略図である。ここに図示したプッシュボタンは、プッシュキャップ１と、ハウジング２と、リセット要素３，４と、電気的スイッチ要素５とを備える。利用者はプッシュキャップ１を介して電気的スイッチ要素５を操作することができる。本発明によるプッシュボタンは、例えば、公共輸送機関で使用することができる。この場合、乗客は、例えば電車、バス、又はトラムのドアを開けるためにプッシュボタンを操作する。この場合、電気的スイッチ要素５がドア制御システムに電気的に接続されて電気回路を閉じ、その結果、ドア駆動部が作動する。
【００２２】
利用者は、操作方向又は操作軸Ａに沿ってプッシュキャップ１を静止位置（図１ｂ参照）からスイッチング位置（図１ｃ参照）へ移動させる。ここでは操作方向Ａはプッシュキャップ１０に対して直角の方向である。静止位置では、プッシュキャップ１は電気的スイッチ要素５に対して、電気的スイッチ要素５が作動しないように位置する。図１ｂは静止位置のプッシュキャップ１を示す。図１ｃはスイッチング位置を示し、プッシュキャップ１の一部が電気的スイッチ要素５上に置かれ、電気的スイッチ要素５の一部を移動させ、それにより電気的スイッチ要素５を作動させたことを示している。
【００２３】
ここでは、プッシュキャップ１は上面１１と下面１２を有し、プッシュキャップ１にプッシュキャップ支持体１０が一体に形成される。プッシュキャップ支持体はプッシュキャップ１から実質的に直角に突出する。電気的スイッチ要素５はこのプッシュキャップ支持体１０によって作動する。
【００２４】
ここでは、プッシュキャップ１はリセット要素３，４を介してハウジング２に接続される。本実施形態では、ハウジング２は実質的に円柱形であり、背面壁２１から直角に延びる側壁２０を有する。例えば、長円形、長方形、正方形又は多角形等の他の外形形状も同様に可能である。
【００２５】
利用者がプッシュキャップ１を操作しなくなるとすぐに、リセット要素３，４によって、プッシュキャップ１はスイッチング位置から静止位置へ戻る。
【００２６】
第一の実施形態では、リセット要素３，４は第１バネ手段３と第２バネ手段４からなる。２つのバネ要素３，４はここでは板バネの形状である。２つのバネ要素３，４は対で配置されるので、一般的にはバネ手段対と称してもよい。
【００２７】
操作方向Ａから見ると、２つのバネ手段３，４は上下に配置され、この場合、特に位置する場所が互いに一致している。さらにバネ手段３，４は操作方向Ａにおいてオフセットして、又は互いに一定の距離を置いて配置される。この場合、バネ手段３，４は第一の外側端部３０，４０でハウジング２に、ここでは側壁２０に、固定的に接続されている。バネ手段３，４は他のハウジング部分に接続することも可能である。第２の端部３１，４１で、バネ手段３，４はプッシュキャップ１又はプッシュキャップ１の一部に、例えばここではプッシュキャップ支持体１０に、固定的に接続される。従って、板バネ３，４は両端で堅固に固定される。操作方向Ａに対して直角方向から見ると、バネ手段３，４はプッシュボタン１の一部及びハウジング２の一部とともに平行四辺形を形成すると言うこともできる。従って、これは堅固な接合である。２つの外側端部３０，４０は固定的に取り付けられているため操作方向Ａに対して実質的に平行に移動するので、堅固に固定されたバネ３，４はハウジング２において、プッシュキャップ１を戻すためだけではなく駆動するためにも使用される。この点において、プッシュキャップ支持体１０を操作方向Ａに対して直角にそろえることは重要ではなく、バネ手段３，４が操作方向Ａに互いにオフセットして配置されるように取り付けられることが重要な要因である。プッシュキャップ支持体１０を配置する位置は自由に選択することも可能であり、例えば、ハウジング２の中心に位置するように配置する、又は図１ａに示すようにハウジング２の中心からオフセットして配置することが可能である。
【００２８】
換言すれば、プッシュキャップ１を操作方向Ａに沿って操作している間、バネ手段３，４の配置により、第１バネ手段３と第２バネ手段４は同一のＳ字形状に変形すると言うこともできる。これにより、プッシュキャップ１は操作方向Ａに沿ってほぼ直線状に移動する。
【００２９】
さらに、このような堅固な固定と平行配置により、プッシュキャップ１上の任意のポイントに力が加えられたときに、プッシュキャップ１は常に同じ平行移動をするという効果が生じる。その結果、電気的スイッチ要素５をプッシュキャップの下の所望の位置に配置することができ、配置が異なっても規定のスイッチング動作を狭い許容差範囲内に維持することができる。さらにバネ要素がプッシュキャップ１を誘導するので、その結果、ハウジングとプッシュキャップの間にガイドを設ける必要がない。従って、ハウジングとプッシュキャップの間には摩擦が生じない。同様にスイッチを入れる感覚に悪影響を及ぼす遊びがない。ハウジング２に対するプッシュキャップ１の動作が均一であること及び構造的高さが小さいことにより、小さなスロット開口部をプッシュキャップ１とハウジング２の間に設けることができる。これにより、破壊者によってナイフの刃等の先端の鋭利な薄い物体が挿入されるのを防ぎ、破壊者に対する防御が強化される。
【００３０】
図１ｂからわかるように、静止位置では、板バネ３，４は操作方向Ａに対して実質的に直角に配置される。スイッチング位置では、板バネ３，４の大部分が操作方向Ａに対して角度をなす。あるいは、静止位置のときに板バネ３，４が操作方向Ａに角度をなすことも可能である。この場合、板バネ３，４はプッシュキャップ１に向けることも、背面壁２１に向けることも可能である。
【００３１】
ここでは、板バネの長さＬはハウジング２の半径より大きい。従って、プッシュキャップ支持体１０はハウジング２に対して偏心して位置する。大きい長さＬの板バネは、プッシュキャップ１の操作移動距離に変わりはないが、操作力が小さくてすむ点が有利である。しかし、ハウジング２の半径と実質的に同一の板バネ３，４の長さＬを選択することも可能であり、その結果、プッシュキャップ支持体はハウジング２に対して同軸の状態になる。様々な応用において、半径より短い長さを選択することも同様に有利である。
【００３２】
直径５０ｍｍのプッシュキャップを備えたプッシュスイッチの場合、対応する板バネの長さＬは、例えば、３５ｍｍ、厚さは０．２ｍｍである。このような寸法にするとスイッチング動作を１ｍｍにすることができる。未定義の操作に対する許容差範囲はこの場合±０．１ｍｍの範囲である。他の寸法及びスイッチング動作も同様に実施可能である。
【００３３】
例として、ここに示すバネ手段３，４は金属材料、特にばね鋼から構成してもよい。あるいは、バネ手段３，４は、繊維強化プラスチックやエラストマー等のプラスチックから構成してもよい。これらの材料を混合することも可能である。例えば、金属材料をエラストマーで覆うことが実施可能である。例えば、バネ手段３，４はプッシュキャップ１及び／又はハウジング２に配置されたスロットに挿入することができ、接着剤等で固定することができる。あるいは、バネ手段３，４をプッシュキャップ１又はハウジング２に接着剤で接続させることが可能である。プッシュキャップ１及びハウジング２がプラスチックで構成される場合、射出成形の工程中に、バネ手段３，４をプッシュキャップ１とハウジング２に直接接続させることも可能である。
【００３４】
図２ａ〜２ｃはプッシュボタンの第二の実施形態を示す。同一部品には同一参照符号を付す。本実施形態では複数のバネ手段対３，４が設けられる。この場合も前と同様にバネ手段対３，４は板バネ形状である。少なくとも３つのバネ手段対３，４がハウジング２の外周に均一な間隔に分布して配置されることが好ましい。円筒形のハウジングの場合、均一な間隔とは第１のバネ手段対３，４と第２のバネ手段対３，４との間が同じ角度であることを意味する。従って、３つのバネ手段対３，４が配置される場合、２つの隣り合うバネ手段対３，４の間の角度は１２０°である。少なくとも３つのバネ手段対を配置することにより、プッシュキャップ１が操作方向Ａに平行に移動し、ハウジング２の側壁２０に対して中心となるという効果がある。
【００３５】
本実施形態では、４つのバネ手段対３，４が示され、これらは、間の角度をそれぞれ９０°として配置されている。
【００３６】
そのほかにも、２つのバネ手段対３，４を配置することもでき、この場合、バネ手段対は、操作方向Ａに対して直角の直線移動に対して、より大きな剛性を有するはずであり、それにより、プッシュキャップの横方向へのずれを防ぐことが可能である。例えば、この場合、バネ手段対の幅Ｂをより広くすることが可能である。
【００３７】
図２ｄ及び２ｅで示される別の実施形態の１つでは、第１のバネ手段３は、ここでは破線で示される第２のバネ手段４に対して軸方向にオフセットして、第２のバネ手段４から角度を置いて配置されている。この場合、既に上述したように、第２のバネ手段４は操作軸方向Ａ又は中心軸方向において第１のバネ手段３から距離を置いている。さらに、第２のバネ手段４は上からみると第１のバネ手段３に角度を持って配置される。本実施形態では、オフセット角度は４５°である。この配置によってもまた、操作中におけるプッシュキャップ１の平行移動について良好な結果を達成することができた。
【００３８】
図３ａ〜３ｃはプッシュボタンの第三の実施形態を示す。ここでもまた同一部品には同一参照符号を付している。この場合では、バネ手段３，４は皿バネ座金（Ｆｅｄｅｒｓｃｈｅｉｂｅｎ）の形状である。ここでは物理的に同一の２つの皿バネ座金を互いに平行に配置している。
【００３９】
皿バネ座金３，４は外周３２，４２と、この外周に対して同心円状の、皿バネ座金を貫通する開口部３３，４３を有する。中心軸方向に見ると、外周３２，４２と開口部３３，４３は互いに軸方向にオフセットされているので、その結果、皿バネ座金３，４は円錐形である。そのほかにも、平坦な皿バネ座金３，４も使用することができる。
【００４０】
設置された状態では、プッシュキャップ支持体１０は開口部３３，４３に固定的に接続され、一方、ハウジング２の側壁２０は外周３２，４２に固定的に接続される。プッシュキャップが操作されると、２つの皿バネ座金３，４は上述の板バネと類似の作用をする。
【００４１】
皿バネ座金３，４を対で配置すると、動作が操作方向Ａに対して実質的に平行となる効果を有する。さらに、皿バネ座金３，４は、電気的スイッチ要素５が配置される内部領域２２をプッシュキャップ１に対して封止する封止要素として作用する。この場合、内部領域２２は水分、ほこり等の環境の影響から封止される。このために大面積バネ要素３，４を設けることもできる。この場合、特に、バネ要素４を電気的スイッチ要素に近接して固定的に配置し、もう一方のバネ要素３を皿バネ座金の形状にすることが可能である。
【００４２】
そのほかには、例えば、対で配置した皿バネ座金切片も可能である。皿バネ座金切片とは上述の皿バネ座金の円切片である。この場合、このような円切片は、例えば２０°〜９０°の角度に渡る。皿バネ座金切片は、上記の第二の実施形態で説明した板バネと同様に一定の間隔で配置される。
【００４３】
ここに記載したバネ手段の配置によって、設置深さがかなり小さいプッシュボタンの提供が可能であり、同時に、同じ操作力、同じ操作動作で操作面の直径を拡大させることが可能である。プッシュキャップが規定的かつ平行に動作し、その直径が大きくなることにより、電気的スイッチ要素の設置位置の自由度が増し、電気的スイッチ要素はプッシュキャップ支持体１０の真下に配置されない。さらに、複数のスイッチ要素を１つのプッシュボタン内に配置することが可能である。
【００４４】
図４は第四の実施形態の断面図である。ここでもまた、同一部品に同一参照符号を付す。
【００４５】
ここでは、プッシュキャップ１は、固定された、好ましくは円形の中心部１３を有し、中心部１３はキャップ要素１４で完全に取り囲まれ、キャップ要素１４はここでは環状要素１４である。中心部１３は実質的に平坦なディスク形状である。キャップ要素１４はここでは波形構造を有し、中心部１３から半径方向及び軸方向に、最終的にリム１５に結合するまで広がる。リム１５は中心部１３の上面１１に実質的に直角に軸方向に延びる。キャップ要素１４はフレキシブルリングと称してもよい。
【００４６】
キャップ要素１４はさらに、ここでは実質的に環状のプッシュキャップ支持体１０に接続される。この場合、プッシュキャップ支持体１０は軸方向を向く外側リング１６を有し、外側リング１６からフランジ１７が半径方向に広がる。フランジ１７は同様に軸方向を向く内側リング１８に通じる。ここでは外側リング１６、フランジ１７、内側リング１８は円周環状溝１９と隣接する。例として、環状溝１９は、発光ダイオードを備えたプリント基板又は環状のＬＣＤディスプレー等の電気部品の収容に使用することができる。ここでは、例えば、キャップ要素１４は透明又は光透過性物質から構成してもよい。このとき、利用者は外側から発光ダイオードを見ることができる。
【００４７】
外側リング１６の直径はリム１５の直径より若干小さいので、外側リング１６とリム１５の間に中間空隙が生まれる。本実施形態では、封止要素７１、この場合ではＯ−リングがこの中間空隙に配置される。封止要素７１は環状溝１９を環境の影響から密封するために用いられる。さらにここでは、内部領域２２が２つのバネ手段３，４で封止される。例えば、水分又はほこりが、リム１５とガイド要素２６のリム２６’の間の領域に入っても、バネ配置により内部領域２２に入り込むことはできない。プッシュキャップ１をプッシュキャップ支持体１０に接続するために、スナップ作用接続、溶接接合（超音波溶接）、ネジ接続、リベット接合、接着剤接合等の多様な接続オプションがある。
【００４８】
プッシュキャップ支持体１０の内側リング１８は２つのバネ手段３，４に接続される。ここでは、バネ手段３，４はここでもまた皿バネ座金形状である。この場合、皿バネ座金３，４は内側リング１８から半径方向に内側へ向けて、即ち、プッシュボタンの中心軸Ｍに向けて広がる。皿バネ座金３，４は、皿バネ座金の開口部３３，３４の端でハウジング２に接続される。
【００４９】
ここでは、皿バネ座金３，４は２つの任意の環状屈曲点３４，４４及び３５，４５を有し、これらはビードとも呼ぶことができる。屈曲点３３，４４及び３５，４５は皿バネ座金を半径方向に３つの部分に分ける。屈曲点３４，４４及び３５，４５はこれらがパチンと折れる際にクリック音を鳴らすことができる効果を有する。これは、利用者がプッシュボタンを操作するときにカチッという音で機械的フィードバックを受け取ることを意味する。
【００５０】
ここでは、前と同様、側壁２０と共にハウジング２は内部領域２２を形成する。本実施形態では、内部領域２２は電気的スイッチ要素５が配置されるプリント基板６を収容するために使用される。この場合、プリント基板６は側壁２０から内部領域２２に広がるフランジ２４上に置かれる。
【００５１】
この場合、フランジ２４とプリント基板６はハウジング２の底部２１を形成する。また、ハウジング２は、半径方向に側壁２０から外側に広がるさらなるフランジ２５を有する。ガイド要素２６はフランジ２５上に一体に形成され、キャップ要素１４、ひいてはプッシュキャップ１０を誘導するために用いられる。さらに、フランジ２５とガイド要素２６は、ドア等の平面要素にプッシュボタンを取り付けるために連結要素として機能する。スイッチが入った状態では、この実施形態では、リム１５の下端部１５’がガイド要素２６上に置かれる。ガイド要素はリム１５を収容するために環状間隙２９を有する。
【００５２】
この場合、側壁２１とフランジ２５の間の接合領域では、ハウジング２はフランジ２５から実質的に直角に延びるさらなる側壁２７を有する。この場合、環状間隙２８はハウジングの下部領域、側壁２１とさらなる側壁２７の間に、形成され、ここではＯ-リング７０である封止手段７とシェル８であるリム８１の収容に使用される。この実施形態では、ケーブル６１はシェル８を通ってプリント基板に接続される。
【００５３】
ここには示さないが、別の一実施形態では、２つのプッシュキャップ支持体が設けられる。第１のプッシュキャップ支持体は上述のように実質的に環状のプッシュキャップ支持体１０の形状をしている。このプッシュキャップ支持体はここでは第１バネ要素３によりハウジング２に接続される。第２のプッシュキャップ支持体はここでは第一の実施形態のプッシュキャップ支持体と類似に設計されているので、ロッドの形状をしていると言うこともできる。従って、第２のプッシュキャップ支持体は中心部１３から直角に突出し、好ましくは第１バネ要素３を貫通して突出する。ここでは、第２バネ要素４は第２プッシュキャップ支持体とハウジング２に接続される。この場合、第１バネ要素３は、第２バネ要素４よりもプッシュキャップ１に接近して配置される。
【００５４】
図５はプッシュボタンの第五の実施形態を示す。この実施形態では、第１バネ要素３はプッシュキャップ１の一体構成要素である。ここでは、プッシュキャップ１は同様にプッシュキャップ支持体１０を有し、プッシュキャップ支持体１０はプッシュキャップ１上に一体に形成され、電気的スイッチ要素５の方向にプッシュキャップ１から直角に突出する。プッシュキャップ支持体１０は側壁と呼ぶこともできる。ここでは、バネ要素３はプッシュキャップ支持体１０から突出する。さらに、円周リム３６がここではバネ要素３上に一体に形成されている。
【００５５】
プッシュキャップ保持要素９がここではハウジング２とプッシュキャップ１の間に配置されている。プッシュキャップ保持要素９はプッシュキャップ支持体１０に接続可能に設計された円周リム９０を有する。第２バネ要素４はこのリム９０から突出し、ハウジング２の一部の上に載る。
【００５６】
組み立てられた状態では、円周リム９０はプッシュキャップ支持体１０に接続されている。この場合の第１バネ要素３の円周リム３６は、ハウジング２とプッシュキャップ保持要素９の上に置かれる。円周リム９０がハウジング２に対してバネ効果の範囲で移動可能なようにプッシュキャップ保持要素９はハウジング２上に置かれる。図からわかるように、第１バネ要素３と第２バネ要素４は互いに平行で、操作軸Ａの方向に互いに一定の距離で配置される。さらに、バネ要素３，４はプッシュボタンの中心軸Ｍから外側へ、角度を有して広がる。
【００５７】
上記と同様に、電気的スイッチ要素５はここではハウジング２の内部領域２２に配置され、プッシュキャップ１の動きによって操作される。
【００５８】
プッシュキャップ１、ハウジング２、プッシュキャップ保持要素９はネジ又はリベット等の取り付け手段９１で互いに接続されることが好ましい。
【００５９】
図６ａと６ｂは第六の実施形態を示し、プッシュボタンは上部又は第１のプッシュキャップ１ａと下部又は第２のプッシュキャップ１ｂとを備える。２つのプッシュキャップ１ａ、１ｂは互いに平行に配置される。この実施形態では、プッシュキャップ支持体１０ａ又は１０ｂはそれぞれ、同様に対応するプッシュキャップ１ａ、１ｂの底面に一体に形成され、ハウジング２の内部領域２２内に突出する。各プッシュキャップ支持体１０ａ又は１０ｂは、ここでも第１バネ要素３と第２バネ要素４のそれぞれを介してハウジング２に接続される。この実施形態では、ハウジング２は、上部２ａと下部２ｂとで構成され、これらは互いに接続されている。上部プッシュキャップ１ａはここでは上部２ａに接続され、下部プッシュキャップ１ｂは下部２ｂに接続される。
【００６０】
さらに、操作板１０１がプッシュキャップ支持体１０ａの内部領域２２と向かい合う面に一体に形成され、プッシュキャップ１ａの操作中にスイッチ要素５の方向に移動し、スイッチ要素５を操作する。
【００６１】
第２のプッシュキャップ支持体１０ｂはここではプリント基板６に接続され、プリント基板６の上にはスイッチ要素５が配置される。この場合、プリント基板６は内部領域２２に位置するように配置される。プッシュキャップ１ｂが操作されると、プリント基板６はスイッチ要素５とともに操作板１０１の方向に移動し、それにより作動する。換言すれば、プリント基板６は第１のプッシュキャップ１ａに対して軸方向に移動可能にハウジング２に設置されることを意味する。直線運動はここでは第２のプッシュキャップ１ｂの操作によって開始される。また同時にプリント基板６の直線運動によって軸方向に電気的スイッチ要素５を移動させ、電気的スイッチ要素５が第１のプッシュキャップ１ａ又は操作板１０１に接触すると電気的スイッチ要素５を作動する。この実施形態では、プッシュキャップ１ａ，１ｂはどちらも上述のバネ要素３，４を介して設置される。この場合でもまた、環境から内部領域２２を封止するために、バネ要素３，４は封止要素として使用される。
【００６２】
図７ａ，７ｂはそれぞれ、プッシュボタンのさらなる実施形態の平面図と斜視図を示す。ここでは、同じ部品に同じ参照符号を付す。
【００６３】
プッシュキャップ１は２つのプッシュキャップ支持体１０を有し、これらはプッシュキャップ１に一体に形成され、プッシュキャップから下向きに突出する。プッシュキャップ支持体はここでは円筒形で、上述のように、プッシュキャップ１がバネ要素３，４を介してハウジング２に接続される場合、ハウジング２の内部領域２２に突出する。
【００６４】
内部領域２２では、ハウジング２は軸受ポイント８２を有し、これは背面壁２１から突出し、内部領域２２に対して固定位置に配置される。軸受ポイント８２はここでは実質的に円筒形である。
【００６５】
この場合、第１バネ要素３と第２バネ要素４は角度１８０°の皿バネ座金切片である。換言すれば、皿バネ座金切片３，４は２等分された円環形状であるということもできる。小角度又は大角度の切片も可能である。例えば、角度１３５°〜２２５°の皿バネ座金切片を使用することができる。
【００６６】
２つのバネ手段３，４は軸受ポイント８２に接続される。バネ手段３，４は、軸受ポイント８２から見て両サイドに実質的に均等に広がるように軸受ポイント８２に接続される。換言すれば、バネ手段３，４はその中心で取り付けられている。軸受ポイント８２は第１バネ手段３と第２バネ手段４との距離間隔を確実にする要素８３を有する。
【００６７】
バネ手段３，４はそれらの両端でプッシュキャップ支持体１０と接続される。プッシュキャップ支持体１０はそれぞれさらに間隔要素８４を有し、間隔要素８４は第１及び第２バネ手段３，４をそれぞれ確実に等間隔にする。この場合では、２つのバネ手段３，４が互いに実質的に平行であり、プッシュキャップ１の操作方向の中心軸に実質的に直角である。プッシュキャップ１が操作軸Ａに沿って上から操作されると、プッシュキャップ支持体１０の移動により２つのバネ手段３，４が操作方向に曲がる。バネ特性とバネ手段３，４を対応して配置することにより、操作方向Ａとは反対の方向にリセット動作が生じ、その結果、プッシュキャップ１は元の位置に戻る。
【００６８】
さらに、２つのプッシュキャップ支持体１０が、第１バネ手段３の領域でくびき（Ｊｏｃｈ）又はウェブ８５を介して互いに接続される。ウェブ８５は、操作工程中、即ち、力が加えられたときに、２つのプッシュキャップ支持体１０が互いに離れる直線運動を防止する機能を有する。
【００６９】
さらに、ウェブ８５は、内部領域２２に配置される、電気的スイッチ要素の操作要素（図示しない）の形状でもよい。あるいは、ここには示さないが、スイッチ要素を操作する媒体部品をプッシュキャップに一体に形成することもできる。
【００７０】
２つのバネ要素３，４は金属でもプラスチックでも構成することができる。バネ手段３，４が金属材料から構成されていれば、バネ手段３，４を射出成形型に挿入することができ、その後プラスチックでコーティングされる。プラスチックで構成される実施形態では、全ての要素が１つの金型で製造でき、従って、プッシュボタンの機械的部品を一体に形成することが可能となる。
【００７１】
ここでは図示しないが、別の実施形態では、上から見たときに、バネ手段３，４を長方形枠の形状にすることも可能である。
【符号の説明】
【００７２】
１  プッシュキャップ
２  ハウジング
３  第１バネ手段
４  第２バネ手段
５  電気的スイッチ要素
６  プリント基板
７  封止手段
８  シェル
９  プッシュキャップ保持要素
１０  プッシュキャップ支持体
１１  上面
１２  下面
１３  中心部
１４  キャップ要素
１５  リム
１６  外側リング
１７  フランジ
１８  内側リング
１９  環状溝
２０  側壁
２１  背面壁
２２  内部領域
２３  環状要素
２４  フランジ
２５  フランジ
２６  ガイド要素
２７  側壁
２８  環状間隙
２９  間隙
３０  第１端部
３１  第２端部
３２  外周
３３  開口部
３４  屈曲点
３５  屈曲点
３６  円周リム
４０  第１端部
４１  第２端部
４２  外周
４３  開口部
４４  屈曲点
４５  屈曲点
６１  ケーブル
７０  Ｏ−リング
７１  Ｏ−リング
８１  リム
８２  軸受ポイント
８３  間隔要素
８４  間隔要素
８５  くびき（Ｊｏｃｈ）
９０  円周リム
９１  取り付け手段
１０１  操作板
【図１ａ】
2011520217.tif 000003
【図１ｂ】
2011520217.tif 000004
【図１ｃ】
2011520217.tif 000005
【図２ａ】
2011520217.tif 000006
【図２ｂ】
2011520217.tif 000007
【図２ｃ】
2011520217.tif 000008
【図２ｄ】
2011520217.tif 000009
【図２ｅ】
2011520217.tif 000010
【図３ａ】
2011520217.tif 000011
【図３ｂ】
2011520217.tif 000012
【図３ｃ】
2011520217.tif 000013
【図４】
2011520217.tif 000014
【図５】
2011520217.tif 000015
【図６ａ】
2011520217.tif 000016
【図６ｂ】
2011520217.tif 000017
【図７ａ】
2011520217.tif 000018
【図７ｂ】
2011520217.tif 000019
【国際調査報告】
2011520217.tif 000020
2011520217.tif 000021
2011520217.tif 000022
2011520217.tif 000023